(57)【要約】【課題】軽量で且つ高い遮音性能が得られる遮音パネルおよびこのパネルを備えた目隠しフェンスを提供する。【解決手段】中間板１と、中間板１の両面に弾性板３を介して貼り付けられた一対のパネル本体２とからなり、弾性板３は、間隔をあけて設けられ、一対のパネル本体２の各々は、表面板４と表面板４の一方の面に貼り付けられた吸音材５とからなり、吸音材５が弾性板３に貼り付けられ、中間板１および表面板４は、それぞれ薄肉金属板からなり、弾性板３は、ゴム板からなり、吸音材５は、発泡材または多孔質材からなっている。【選択図】図１
2008174964.tif 000002
【特許請求の範囲】
【請求項１】
中間板と、前記中間板の両面に弾性板を介して貼り付けられた一対のパネル本体とからなり、前記弾性板は、間隔をあけて設けられ、前記一対のパネル本体の各々は、表面板と前記表面板の一方の面に貼り付けられた吸音材とからなり、前記吸音材が前記弾性板に貼り付けられ、前記中間板および前記表面板は、それぞれ薄肉板からなり、前記弾性板は、ゴム板または発泡ゴム板からなり、前記吸音材は、発泡材または多孔質材からなっていることを特徴とする遮音パネル。
【請求項２】
前記中間板および前記表面板の板厚は、１．０ｍｍ以下であることを特徴とする、請求項１記載の遮音パネル。
【請求項３】
前記パネル本体の前記表面板は、波状に形成されていることを特徴とする、請求項１または２記載の遮音パネル。
【請求項４】
請求項１から３の何れか１つに記載の遮音パネルを備えたことを特徴とする目隠しフェンス。
【発明の詳細な説明】
【技術分野】
【０００１】
この発明は、遮音パネルおよび目隠しフェンス、特に、軽量で且つ低音域から高音域まで高い遮音性能が得られる遮音パネルおよびこのパネルを備えた目隠しフェンスに関するものである。
【背景技術】
【０００２】
従来、建築用遮音パネルの一例として、図４の断面図で示すように、石膏ボード等からなる表面板１１間に、ウレタンフォーム等の発泡材やグラスウール等の多孔質材からなる芯材１２を挟み込んだものがある。以下、この遮音パネルを従来パネル１という。
【０００３】
上記従来パネル１によれば、表面板１１間に芯材１２を挟み込むことによって、吸音材１２がばねあるいは抵抗の作用をするので、芯材１２を挟み込まない遮音パネルに比べて、全体として遮音性が向上する。
【０００４】
しかし、低音域における遮音特性は、芯材１２を挟み込まない遮音パネルと同様、改善されない。
【０００５】
また、表面板１１の板厚を厚くすれば、透過損失は改善されるが、質量則によって重量を２倍にしても遮音特性は、約６ｄＢ向上するのみで、十分な遮音特性の改善にはならない。
【０００６】
そこで、上記問題を解決するための遮音パネルが特許文献１（特開平８−６０７６１号公報）に開示されている。以下、この遮音パネルを従来パネル２といい、図面を参照しながら説明する。
【０００７】
図５は、従来パネル２を示す部分切り欠き斜視図、図６は、従来パネル２の遮音構造体を示す斜視図である。
【０００８】
図５に示すように、従来パネル２は、合板等からなる表面板１３間に、空気層または多孔質材からなる吸音層１４と遮音構造体１５とを設けたものである。遮音構造体１５は、図６に示すように、共振ばね弾性を有する発泡ウレタン等の弾性板状体１６に、塩化ビニルに硫酸バリウムを充填したもの等からなる高密度の質量シート１７を貼り付けたものからなっている。
【０００９】
【特許文献１】特開平８−６０７６１号公報
【発明の開示】
【発明が解決しようとする課題】
【００１０】
上記従来パネル２によれば、遮音構造体１５が表面板１３の振動と共振して、表面板１３の振動エネルギーを吸収するので、従来パネル１のようなサンドイッチ構造の遮音パネル特有の低音域における遮音特性の低下を防止できる。
【００１１】
しかしながら、従来パネル２は、建築用遮音パネルであるので、建築用材料としての強度を確保する必要があることから、表面板１３として、石膏ボード、合板あるいは樹脂板を用いている。しかも、遮音構造体１５を構成する質量シート１７も表面板１３の全面に設けられ、しかも、高密度であることから重量がある。これらのことから、従来パネル２は、従来パネル１に比べて重量が増加するといった問題があった。
【００１２】
従って、この発明の目的は、軽量で且つ高い遮音性能が得られる遮音パネルおよびこのパネルを備えた目隠しフェンスを提供することにある。
【課題を解決するための手段】
【００１３】
この発明は、上記目的を達成するためになされたものであって、下記を特徴とするものである。
【００１４】
請求項１記載の発明は、中間板と、前記中間板の両面に弾性板を介して貼り付けられた一対のパネル本体とからなり、前記弾性板は、間隔をあけて設けられ、前記一対のパネル本体の各々は、表面板と前記表面板の一方の面に貼り付けられた吸音材とからなり、前記吸音材が前記弾性板に貼り付けられ、前記中間板および前記表面板は、それぞれ薄肉板からなり、前記弾性板は、ゴム板または発泡ゴム板からなり、前記吸音材は、発泡材または多孔質材からなっていることに特徴を有するものである。
【００１５】
請求項２記載の発明は、請求項１記載の発明において、前記中間板および前記表面板の板厚は、１．０ｍｍ以下であることに特徴を有するものである。
【００１６】
請求項３記載の発明は、請求項１または２記載の発明において、前記パネル本体の前記表面材は、波状に形成されていることに特徴を有するものである。
【００１７】
請求項４記載の発明は、請求項１から３の何れか１つに記載の発明の遮音パネルを備えたことに特徴を有する。
【発明の効果】
【００１８】
この発明によれば、軽量で且つ低音域から高音域まで高い遮音性能が得られる遮音パネルおよびこのパネルを備えた目隠しフェンスを提供することができる。
【発明を実施するための最良の形態】
【００１９】
この発明の遮音パネルの一実施態様を、図面を参照しながら説明する。
【００２０】
図１は、この発明の遮音パネルを示す断面図、図２は、図１のＡ−Ａ線断面図、図３は、この発明の遮音パネルを備えた目隠しフェンスを示す正面図である。
【００２１】
図１および図２において、１は、中間板であり、例えば、板厚０．８ｍｍの亜鉛鉄板からなっている。２は、中間板１の両面に弾性板３を介して貼り付けられた一対のパネル本体である。弾性板３は、例えば、板厚２ｍｍのゴム板または発泡ゴム板からなり、間隔をあけて設けられている。パネル本体２は、例えば、板厚０．８ｍｍのポリエステル樹脂塗装ガルバニウム鋼板からなる表面板４と、表面板４の一方の面に貼り付けられた吸音材５とからなり、吸音材５が弾性板３に貼り付けられている。吸音材５は、ウレタンフォーム等の発泡材またはグラスウール等の多孔質材からなっている。吸音材５の弾性板３側の面は、アルミ箔等からなる保護シート６により覆われている。図２に示すように、表面板４は、強度と遮音性能を向上させるために波状に形成されている。
【００２２】
このように構成されている、この発明の遮音パネルによれば、表面板４と吸音材５とからなる一対のパネル本体２間に、弾性板３を介して中間板１を設けることによって、従来技術２の遮音パネルを２枚互いに背中合わせに貼り合せた三重壁構造のパネルとなる。従って、従来技術２の遮音パネルに比べてさらに優れた遮音特性が得られる。
【００２３】
しかも、中間板１と表面板４とは、何れも、薄肉板により構成され、さらに、弾性板３は、パネル本体２の全面に貼り付けられていないので、パネルの全体重量も従来技術２の遮音パネルに比べて軽量となる。
【００２４】
上述のように構成されている、この発明の遮音パネル（Ｓ）により目隠しフェンスを構築するには、図３に示すように、地中に立設した支柱７間に上下多段に遮音パネル（Ｓ）を重ね合わせれば良い。目隠しフェンスとして使用するので、例えば、建物の壁材として使用する場合のように大きな強度は必要ない。
【００２５】
以上説明したように、この発明によれば、軽量で且つ高い遮音性能が得られる遮音パネルおよびこのパネルを備えた目隠しフェンスを得ることができる。
【図面の簡単な説明】
【００２６】
【図１】この発明の遮音パネルを示す断面図である。
【図２】図１のＡ−Ａ線断面図である。
【図３】この発明の遮音パネルを備えた目隠しフェンスを示す正面図である。
【図４】従来パネル１を示す断面図である。
【図５】従来パネル２を示す部分切り欠き斜視図である。
【図６】従来パネル２の遮音構造体を示す斜視図である。
【符号の説明】
【００２７】
１：中間板
２：パネル本体
３：弾性板
４：表面板
５：吸音材
６：保護シート
７：支柱
１１：表面板
１２：芯材
１３：表面板
１４：吸音層
１５：遮音構造体
１６：弾性板状体
１７：質量シート
【図１】
2008174964.tif 000003
【図２】
2008174964.tif 000004
【図３】
2008174964.tif 000005
【図４】
2008174964.tif 000006
【図５】
2008174964.tif 000007
【図６】
2008174964.tif 000008